(57)【要約】  施術者が増毛用材料を速やかに取り出せるようにして、施術時の作業効率を向上させた増毛用材料の保持具を提供する。  保持具（１０）は、矩形状の基材シート（１１）と、基材シート（１１）上に設けられ、増毛用材料が所定の間隔で多数配置される棒状部材（１３）と、棒状部材上（１３）に設けられ、増毛用材料の束を保持する第１の保持部材（１５）と、を有し、第１の保持部材（１５）は、増毛用材料の束を吸着するための吸着面（１５ａ）と、束を取り出しやすくするための滑り面（１５ｂ）とを有する。
2015041356.tif 000002
【特許請求の範囲】
【請求項１】
人工毛の複数本を揃えた増毛用材料の束を保持する増毛用材料の保持具であって、
矩形状の基材シートと、
前記基材シート上に設けられ、前記増毛用材料が所定の間隔で多数配置される棒状部材と、
前記棒状部材の長手方向に沿って当該棒状部材上に設けられ、前記増毛用材料の束を保持する第１の保持部材と、
を有し、
前記第１の保持部材は、前記束を吸着するための吸着面と、前記束を取り出しやすくするための滑り面とを有すること、
を特徴とする増毛用材料の保持具。
【請求項２】
請求項１に記載の増毛用材料の保持具において、
前記棒状部材は、前記束の取出し用具が入る大きさの溝を有すること、
を特徴とする増毛用材料の保持具。
【請求項３】
請求項１又は請求項２に記載の増毛用材料の保持具において、
前記棒状部材は、円柱形状の丸棒状部材であること、
を特徴とする増毛用材料の保持具。
【請求項４】
請求項１から請求項３のいずれか１項に記載の増毛用材料の保持具において、
保持された前記増毛用材料を覆うカバー部材をさらに有すること、
を特徴とする増毛用材料の保持具。
【請求項５】
請求項１から請求項４のいずれか１項に記載の増毛用材料の保持具において、
前記棒状部材の少なくとも１端を前記基材シートに着脱自在に保持する第２の保持部材をさらに有すること、
を特徴とする増毛用材料の保持具。
【請求項６】
請求項４又は請求項５に記載の増毛用材料の保持具において、
前記カバー部材及び前記滑り面の材質は、和紙であること、
を特徴とする増毛用材料の保持具。
【請求項７】
請求項１から請求項６のいずれかに記載の増毛用材料の保持具において、
前記第１の保持部材の材質は、和紙であること、
を特徴とする増毛用材料の保持具。
【請求項８】
人工毛の複数本を揃えた増毛用材料の束を保持する増毛用材料の保持具であって、
前記増毛用材料が所定の間隔で多数配置される棒状部材と、
前記棒状部材の長手方向に沿って当該棒状部材上に設けられ、前記増毛用材料の束を保持する保持部材と、
前記棒状部材が取り付けられるアーム部材と、
前記アーム部材に取り付けられた前記棒状部材が前記保持具の設置面と略水平となるように前記アーム部材を支持する台座と、
を有し、
前記保持部材は、前記束を吸着するための吸着面と、前記束を取り出しやすくするための滑り面とを有すること、
を特徴とする増毛用材料の保持具。
【請求項９】
請求項８に記載の増毛用材料の保持具において、
前記台座は、前記アーム部材を、前記棒状部材の長手方向と略直交する軸回りに回転が可能な状態又は回転が抑制された状態のいずれかに支持する支持部材を有すること、
を特徴とする増毛用材料の保持具。
【請求項１０】
請求項８又は請求項９に記載の増毛用材料の保持具において、
前記台座は、底部に粘着部材を備え、
前記粘着部材は、前記台座の作業台に対して着脱自在であること、
を特徴とする増毛用材料の保持具。
【発明の詳細な説明】
【技術分野】
【０００１】
本発明は、増毛用材料の保持具に関するものである。
【背景技術】
【０００２】
従来、増毛用材料としての人工毛は、家庭や美容院等において増毛に使用されている。増毛用材料による増毛は、自毛又黒毛等の毛を産毛に取付けて頭髪の量を増やすため、或いは白髪を目立たなくするために行われる。増毛用材料は、増毛作業時以外において、保管、管理、持ち運びが必要となる。
これに関連して、増毛用材料の保管、持ち運び、増毛作業時に使用する保持シートが提案されている。例えば、一端にループを設けた多数の増毛用材料を保持する増毛用材料の保持シートが開示されている（例えば、特許文献１）。【０００３】
特許文献１の保持シートは、中央の折り目を境にして二つ折りに畳まれる紙又は類似のシート材で形成した本体シートと、一対のシートとシートの間に増毛用材料を挟み込んで保持する面ファスナーによって構成される増毛用材料保持部と、を有する。特許文献１の保持シートでは、折り畳んだとき内側となる面の少なくとも片面に、増毛用材料保持部の長手方向が中央の折り目に直角になるよう固定される。また、特許文献１の保持シートには、本体シートを折り畳んだ状態において保持された増毛用材料のループ部が露出するよう折り目、切り目が設けられている。【０００４】
他の従来例として、毛材の本数が増えた場合でも、まとわりつくことがなく、増毛用材料を１束ずつ分離することができる増毛用材料の保持具が開示されている。（例えば、特許文献２）。【０００５】
特許文献２の保持具は、基材シートと、基材シートの長辺又は短辺に連接されたカバーシートと、増毛用材料が所定の間隔で多数配置される棒状部材と、棒状部材の少なくとも１端を基材シートに着脱自在に保持する保持部材と、棒状部材の表面の長手方向に設けられ、ループ部を棒状部材に仮固定する吸着部材とを備えたものである。
【先行技術文献】
【特許文献】
【０００６】
【特許文献１】特許第３２０６８７９号公報
【特許文献２】特開２０１３−８７４０２号公報
【発明の概要】
【発明が解決しようとする課題】
【０００７】
上記特許文献１及び特許文献２に開示された技術は、いずれも、施術者が増毛用材料を保持具から速やかに取り出せるようにして、施術時の作業効率を向上させるという点において、改善の余地がある。
本発明の課題は、施術者が増毛用材料を速やかに取り出せるようにして、施術時の作業効率を向上させた増毛用材料の保持具を提供することである。
【課題を解決するための手段】
【０００８】
前記課題を解決するために、請求項１の発明は、人工毛の複数本を揃えた増毛用材料の束を保持する増毛用材料の保持具であって、矩形状の基材シートと、前記基材シート上に設けられ、前記増毛用材料が所定の間隔で多数配置される棒状部材と、前記棒状部材の長手方向及び前記棒状部材上に設けられ、前記増毛用材料の束を保持する第１の保持部材と、
を有し、前記第１の保持部材は、前記束を吸着するための吸着面と、前記束を取り出しやすくするための滑り面とを有すること、を特徴とする増毛用材料の保持具である。
請求項２の発明は、請求項１に記載の増毛用材料の保持具において、前記棒状部材は、前記束の取出し用具が入る大きさの溝を有すること、を特徴とする増毛用材料の保持具である。
請求項３の発明は、請求項１又は請求項２に記載の増毛用材料の保持具において、前記棒状部材は、円柱形状の丸棒状部材であること、を特徴とする増毛用材料の保持具である。
請求項４の発明は、請求項１から請求項３のいずれか1項に記載の増毛用材料の保持具において、保持された前記増毛用材料を覆うカバー部材をさらに有すること、を特徴とする増毛用材料の保持具である。
請求項５の発明は、請求項１から請求項４のいずれか1項に記載の増毛用材料の保持具において、前記棒状部材の少なくとも１端を前記基材シートに着脱自在に保持する第２の保持部材をさらに有すること、を特徴とする増毛用材料の保持具である。
請求項６の発明は、請求項１から請求項５のいずれか1項に記載の増毛用材料の保持具において、前記カバー部材及び前記滑り面の材質は、和紙であること、を特徴とする増毛用材料の保持具である。
請求項７の発明は、請求項１から請求項６のいずれかに記載の増毛用材料の保持具において、前記第１の保持部材の材質は、和紙であること、を特徴とする増毛用材料の保持具である。
請求項８の発明は、人工毛の複数本を揃えた増毛用材料の束を保持する増毛用材料の保持具であって、前記増毛用材料が所定の間隔で多数配置される棒状部材と、前記棒状部材の長手方向に沿って当該棒状部材上に設けられ、前記増毛用材料の束を保持する保持部材と、前記棒状部材が取り付けられるアーム部材と、前記アーム部材に取り付けられた前記棒状部材が前記保持具の設置面と略水平となるように前記アーム部材を支持する台座と、を有し、前記保持部材は、前記束を吸着するための吸着面と、前記束を取り出しやすくするための滑り面とを有すること、を特徴とする増毛用材料の保持具である。
請求項９の発明は、請求項８に記載の増毛用材料の保持具において、前記台座は、前記アーム部材を、前記棒状部材の長手方向と略直交する軸回りに回転が可能な状態又は回転が抑制された状態のいずれかに支持する支持部材を有すること、を特徴とする増毛用材料の保持具である。
請求項１０の発明は、請求項８又は請求項９に記載の増毛用材料の保持具において、前記台座は、底部に粘着部材を備え、前記粘着部材は、前記台座の作業台に対して着脱自在であること、を特徴とする増毛用材料の保持具である。
【発明の効果】
【０００９】
本発明によれば、施術者が増毛用材料を速やかに取り出せるようにして、施術時の作業効率を向上させた保持具を提供することができる。
【図面の簡単な説明】
【００１０】
【図１】本発明に係る増毛用材料の保持具の第１実施形態を示す平面図である。
【図２】第１実施形態に係る保持具の保持部材付近を示す部分拡大斜視図である。
【図３】第１実施形態に係る保持具の保持部材を示す部分拡大斜視図である。
【図４】第１実施形態に係る保持具の棒状部材を示す拡大断面図である。
【図５】第１実施形態の棒状材料を保持部材により保持する構成の説明図である。（ａ）は、棒状部材を基材シート上に固定する前の図であり、（ｂ）は、棒状部材を基材シート上に固定するための保持部材が棒状部材を覆う前の図であり、（ｃ）は、棒状部材を基材シート上に保持した図であり、（ｄ）は、増毛用材料を保持部材により保持するための他の一例である。
【図６】第１実施形態のループ付増毛用材料を被増毛者の産毛に結びつける経過を示す第１の説明図である。
【図７】第１実施形態のループ付増毛用材料を被増毛者の産毛に結びつける経過を示す第２の説明図である。
【図８】本発明に係る増毛用材料の保持具の第２実施形態を示す斜視図である。
【図９】第２実施形態に係る保持具の保持部材を示す部分拡大斜視図である。
【発明を実施するための形態】
【００１１】
以下、図面等を参照しながら、本発明の実施形態について説明する。
まず、本発明に係る増毛用材料の保持具の第１実施形態について説明する。
図１は、本発明に係る増毛用材料の保持具の第１実施形態を示す平面図である。増毛用材料２０の保持具１０は、矩形状の基材シート１１と、基材シート上に設けられ、増毛用材料２０が所定の間隔で多数配置される棒状部材１３と、棒状部材１３上に設けられ、増毛用材料の束を保持する保持部材１５（第１の保持部材）と、を備えている。
【００１２】
保持具１０は、複数本の毛材を束ねた増毛用材料２０の一部に、後から縮小可能なループ部２１を有する。ループ部２１は、被増毛者の産毛の毛根部付近に結びつけることができる。保持具１０は、図２に示すように、棒状部材１３を基材シート上に固定するための保持部材１４と、棒状部材１３上に保持された増毛用材料２０の束をカバーするカバー部材１６と、をさらに備えている。
【００１３】
基材シート１１は、紙や樹脂製の矩形状をした１枚のシートからなり、中央の折線１２で２つ折りにできる。施術者は、基材シート１１を開放状態にして、基材シート１１に増毛用材料２０を保持させる。施術者は、基材シート１１に保持させた増毛用材料を運ぶ際、基材シート１１を２つ折り状態とする。なお、基材シート１１の素材は、コスト面、製作面上、紙類等が好ましいが、これに限定されず、紙や樹脂製の他に耐久性があるプラスチックや金属等であっても構わない。
【００１４】
棒状部材１３は、基材シート１１上に設けられる。棒状部材１３は、複数本の毛材を束ねた増毛用材料２０を、所定の間隔で保持する。また、図２に示すように、棒状部材１３を構成する円柱形状の丸棒は、溝１７を有する。棒状部材１３は、ループ部２１が挿入され、増毛用材料２０が所定の間隔で多数配置される。図１に示すように、棒状部材１３は、基材シート１１において、長手方向の一端側に設けられることが好ましいが、中央であっても構わない。棒状部材１３の材質は、木材が好ましいが、これに限定されず、プラスチック等であっても構わない。
【００１５】
保持部材１４（第２の保持部材）は、棒状部材１３の両端を基材シート１１に着脱自在に保持する部材である。保持部材１４は、棒状部材１３を保持していない状態で、基材シート１１に接着又は固定されている。保持部材１４は、基材シート１１を２つ折りにして閉じた際に、棒状部材１３側を接着する。保持部材１４は、例えば、後述する紙類に接着剤を塗布したもの、片面テープ、両面テープ等により構成される。
【００１６】
糸２２は、増毛用材料２０に結びつけられる。糸２２を増毛用材料２０に結び付けることにより、増毛用材料２０がバラつかないようにできる。施術者は、施術中であっても糸２２の結びを取らずに増毛用材料２０を取り外すことができる。この場合、施術者がループ２１をピンセット４１で掴み取った際に、ループ２１が崩れにくく、使用後であっても増毛用材料２０の束を保持することが可能となる。
【００１７】
図３は、第１実施形態の保持部材１５を示す図である。図３では、増毛用材料２０の図示を省略する。
図３（ａ）に示すように、保持部材１５は、棒状部材１３の表面の長手方向に沿って設けられている。保持部材１５は、ループ部２１を棒状部材１３に仮固定するためのテープ部材である。図３（ｂ）に示すように、この保持部材１５は、吸着面１５ａと、滑り面１５ｂと、の２面から構成されている。テープ部材２１の材質が滑り面１５ｂのみであれば、増毛用材料の束がくっつかず、保持することが不可能となる。また、テープ部材２１の材質が吸着面１５ａのみであれば、増毛用材料２０がくっつき過ぎて、棒状部材１３から取り出す事が困難となる。この場合、増毛用材料２０取り出す際に、時間がかかるか、粘着力が強すぎると増毛用材料２０が切れたり剥がれたりしてしまう。
吸着面１５ａと、滑り面１５ｂとの比率は、２〜３ｍｍずつの１対１の関係が好ましく、さらに好ましくは、２，５ｍｍずつの１対１の関係が好ましい。
【００１８】
カバー部材１６は、図２に示すように、棒状部材１３に挿入された増毛用材料２０のループ部２１を表面側から覆う短柵状の部材である。図２の矢印Ａに示すように、カバー部材１６は、増毛用材料２０の束を上から覆うことができる。カバー部材１６の素材は、例えば、和紙が好ましい。上述した保持部材１５の吸着面１５ａに吸着された増毛用材料の束を覆うのは、つるつるした和紙が素材として、好ましいからである。
【００１９】
この実施形態において、棒状部材１３にカバー部材１６を被せると、隣接するループ部２１間から露出する保持部材１５の吸着面１５ａがカバー部材１６の内側に吸着するため、ループ部２１を固定できる。また、保持部材１５の吸着面１５ａがカバー部材１６の内側に吸着するため、保管、持ち運び時等に、強い力がかかった場合でも、増毛用材料２０がずれてしまう、というような不都合はなくなる。さらに、カバー部材１６を剥がせば、保持部材１５の滑り面１５ｂによって、図２の矢印Ｂに示すように、増毛用材料２０をスムーズに取り外すことが可能となる。
【００２０】
図３（ｃ）は、保持部材１５の他の実施形態を示す部分拡大斜視図である。本実施形態の保持部材１５Ａは、図３（ｃ）に示すように、溝１７と反対側において、棒状部材１３の表面の長手方向に沿って設けられている。保持部材１５Ａの材質は、和紙である。和紙は、適度な厚みと弾力性を有する。そのため、棒状部材１３に増毛用材料２０を挿入すると、増毛用材料２０は、ループ部２１が保持部材１５Ａに食い込み、棒状部材１３に適度な保持力で固定される。
【００２１】
また、本実施形態においても、棒状部材１３の挿入された増毛用材料２０の表面側にカバー部材１６Ａが取り付けられる。本実施形態のカバー部材１６Ａは、裏面に吸着面（不図示）を有する。カバー部材１６Ａを、棒状部材１３の挿入された増毛用材料２０の表面側に被せると、隣接するループ部２１間から露出する棒状部材１３の表面がカバー部材１６Ａの裏面に形成された吸着面に吸着するため、ループ部２１を固定できる。
【００２２】
この場合、カバー部材１６Ａの裏面が棒状部材１３の表面に吸着するため、保管、持ち運び時等に、強い力がかかった場合でも、増毛用材料２０がずれてしまう不都合はなくなる。さらに、カバー部材１６Ａを剥がすことにより、施術者は、保持部材１５Ａの表面をすべらせながら、増毛用材料２０を棒状部材１３からスムーズに取り外すことが可能となる。従って、施術者は、増毛用材料２０を棒状部材１３から速やかに取り出せるため、施術時の作業効率が向上する。
【００２３】
図４は、第１実施形態に係る保持具の棒状部材を示す拡大断面図である。
溝１７は、棒状部材１３の長手方向に沿って形成されている。溝１７の幅及び深さは、ピンセット４１（取出し用具）の先端がギリギリ入る程度の大きさで良い。施術者は、ピンセット４１の先端を溝１７に入れることで、増毛用材料２０をスムーズに取り外すことが可能となるため、施術時の作業効率が更に向上する。
【００２４】
図５は、第１実施形態の棒状材料を保持部材により保持する構成の説明図である。（ａ）は、棒状部材１３を基材シート１１上に固定する前の状態を示す図である。（ａ）において、接着面１８は、不図示の接着剤又は粘着テープにより、保持部材１４と基材シート１１、及び保持部材１４と棒状部材１３を接着している。（ｂ）は、棒状部材１３を基材シート１１上に固定するための保持部材１４により棒状部材１３を覆う際の状態を示す図である。
【００２５】
図５（ｃ）は、棒状部材１３が基材シート１１上に保持された状態を示す図である。（ｃ）の図で示すように、保持部材１４で棒状部材１３を覆うことにより、棒状部材１３を基材シート１１上に固定できる。（ｄ）は、増毛用材料を保持部材により保持する他の構成例である。なお、（ａ）から（ｄ）は、棒状部材１３を基材シート１１上に保持する他の一例であって、棒状部材１３を保持する目的が達成できていれば、その形態は、これらに限定されない。
【００２６】
図６は、第１実施形態のループ付増毛用材料２０を被増毛者の産毛３０に結びつける経過を示す第１の説明図である。
先ず、図６（ａ）に示すように、施術者は、複数本（この例では３本）の産毛３０（３１，３２，３３）をループ部２１の輪に潜らせる。次に、施術者は、増毛用材料２０を左手でつかみ、ループ部２１の輪から引き出した産毛３０を、取出し用具であるピンセット（例えば、毛抜きピンセット）４１で挟み、斜め上方のＤ方向に引っ張る。すると、図６（ｂ）に示すように、引っ張られた産毛３０により、ループ部２１が産毛３０の毛根近くで縮まる。産毛３０は、２〜３ｍｍでも、つかむことができるため、短い産毛も結着することができる。
【００２７】
次に、図６（ｃ）に示すように、産毛３１の先端をピンセット４１でつかみ、矢印Ｅのように、折り返す。そして、図６（ｄ）に示すように、増毛用材料２０のループ部２１の輪に再度潜らせる（矢印Ｆ）。最後に、図６（ｅ）に示すように、増毛用材料２０のループ部２１の結束した部分を、人体用の接着剤４２を用いて接着する。こうすることで、産毛同士が重なりあい、３本が６本のかたまりとなる。そのため、接着の範囲が広がり、接着した部分が太くなるので、強度が増す。
【００２８】
図７は、第１実施形態のループ付増毛用材料２０を被増毛者の産毛３０に結びつける経過を示すの第２の説明図である。
図７（ａ）に示すように、施術者は、被増毛者の産毛３０において、１本の細く短い先（１cm弱）に増毛用材料２０のループ２１を通し、増毛用材料２０を左右均等に引いて、小さく縮め結び絡める。これにより、髪のキューティクル（表皮）に吸い付くように、増毛用材料２０を産毛３０に絡みつけることができる。また、図７（ｂ）に示すように、施術者は、被増毛者の産毛３０をピンセット４１で斜め上方に向けて引き上げることでも、増毛用材料２０を結束することができる。このとき、増毛用材料２０を左右均等に同じ強さで引くことでループが小さくなり、産毛３０に絡ませることができる。
【００２９】
第１実施形態の保持具１０は、棒状部材１３上に保持部材１５が存在し、保持部材１５が吸着面１５ａと、滑り面１５ｂとの２面を有する。そのため、保持具１０は、増毛用材料２０の束を、棒状部材１３にくっつき過ぎないように保持することができる。これによれば、施術者は、増毛用材料２０を棒状部材１３から速やかに取り出せるため、施術時の作業効率が向上する。
【００３０】
第１実施形態の保持具１０は、和紙等で出来たカバー部材１６を有する。そのため、保持具１０は、棒状部材１３及び保持部材１５で保持された増毛用材料２０の束を安全に管理、持ち運ぶことが可能となる。また、保持具１０は、増毛用材料２０を取り出す際の時間を短縮できる。
【００３１】
第１実施形態の保持具１０は、棒状部材１３が所定の大きさの溝１７を有する。施術者は、ピンセット４１の先端を溝１７に入れることで、増毛用材料２０をスムーズに取り外すことが可能となる。従って、施術時の作業効率が更に向上する。
【００３２】
次に、本発明に係る増毛用材料の保持具の第２実施形態について説明する。
図８は、本発明に係る増毛用材料の保持具の第２実施形態を示す斜視図である。図９は、第２実施形態に係る保持具の保持部材を示す部分拡大斜視図である。第２実施形態では、第１実施形態と同じ部材に同じ符号を付して説明する。
図８に示すように、増毛用材料２０の保持具１０Ａは、棒状部材５０及び８０と、保持部材１５と、アーム部材６０及び９０と、台座７０と、を有する。第２実施形態に係る保持具１０Ａは、作業台の上に設置される。
【００３３】
棒状部材５０は、複数本の毛材を束ねた増毛用材料２０を、所定の間隔で保持する。棒状部材５０は、直線形状のパイプ材により構成される。棒状部材５０を構成するパイプ材の材質は、プラスチックが好ましいが、これに限定されず、アルミ等の金属であってもよい。
【００３４】
棒状部材５０は、図９に示すように、溝５１を有する。溝５１は、棒状部材５０の長手方向に沿って形成されている。溝５１の幅は、ピンセット４１（図４参照）の先端がギリギリ入る程度の大きさで良い。施術者は、ピンセット４１の先端を溝５１に入れることで、増毛用材料２０をスムーズに取り外すことが可能となる。従って、施術時の作業効率が向上する。
保持部材１５は、棒状部材５０の表面の長手方向に沿って設けられる。保持部材１５は、第１実施形態と同じく、吸着面１５ａと、滑り面１５ｂと、の２面から構成されている。なお、保持部材１５の代わりに、図３（ｃ）に示す保持部材１５Ａを用いてもよい。
【００３５】
棒状部材５０の構成と、図８の右側に示す棒状部材８０の構成は、基本的に同じである。そのため、棒状部材８０の詳細な説明を省略する。棒状部材８０は、パイプ材の外径が、棒状部材５０のパイプ材の外径よりも大きい点が異なる。棒状部材８０には、棒状部材５０に配置される増毛用材料２０よりもループ部２１の直径が大きな増毛用材料２０が配置される。以下の説明において、棒状部材５０及び８０の両方を指す場合には、符号を付さずに単に「棒状部材」と記載する。
【００３６】
アーム部材６０は、棒状部材５０の支持部材である。アーム部材６０は、略Ｌ字形の丸棒である。防除部材５０を構成するパイプ材の材質は、プラスチックが好ましいが、これに限定されず、アルミ等の金属であってもよい。
アーム部材６０は、第１端部６１、第２端部６２、及び屈曲部６３を有する。アーム部材５０は、第１端部６１に棒状部材５０の端部５２が外側からはめ込まれる。これにより、棒状部材５０は、端部５２においてアーム部材６０に支持される。アーム部材６０の外径は、棒状部材５０のはめ込みを可能とするため、棒状部材５０の内径よりも僅かに小さな寸法とすることが望ましい。
【００３７】
アーム部材６０の構成と、図８の右側に示すアーム部材９０の構成は、基本的に同じである。そのため、アーム部材９０の詳細な説明を省略する。アーム部材９０は、パイプ材の外径が、アーム部材６０を構成するパイプ材の外径よりも大きい点が異なる。以下の説明において、アーム部材６０及び９０の両方を指す場合には、符号を付さずに単に「アーム部材」と記載する。
【００３８】
台座７０は、アーム部材を介して棒状部材を支持する部材である。台座７０は、直方体に形成されている。台座７０は、上面に支持パイプ７１及び７２（支持部材）を有する。支持パイプ７１は、アーム部材６０を支持する部材である。支持パイプ７２は、アーム部材９０を支持する部材である。以下の説明において、支持パイプ７１及び７２の両方を指す場合には、符号を付さずに単に「支持パイプ」と記載する。台座７０は、支持パイプの位置に、アーム部材が挿入される縦穴（不図示）を有する。支持パイプは、この縦穴の上端部に設けられている。
【００３９】
台座７０は、木材、プラスチック等の単一の材料により形成することができる。また、支持パイプは、プラスチック、硬質ゴム、金属等の材料により形成することができる。
アーム部材６０の第２端部６２を、台座７０の支持パイプ７１に挿入すると、アーム部材６０の第１端部６１に取り付けられた棒状部材５０は、保持具１０Ａの設置面と略水平に支持される。このとき、アーム部材６０を、屈曲部６３が支持パイプ７１の上端部に達する位置まで挿入しなければ、アーム部材６０は、支持パイプ７１に対して回転が可能な状態となる。即ち、アーム部材６０は、棒状部材５０の長手方向と略直交する第２端部６２の軸回りに回転が可能な状態となる。アーム部材６０を、屈曲部６３が支持パイプ７１の上端部に達する位置まで挿入しなければ、屈曲部６３が支持パイプ７１の上端部を押し広げることがない。これにより、アーム部材６０の第２端部６２と支持パイプ７１との間に生じる抵抗が少なくなるため、アーム部材６０は、回転が可能な状態となる。
【００４０】
一方、アーム部材６０を、屈曲部６３が支持パイプ７１の上端部に達する位置まで挿入すれば、アーム部材６０は、支持パイプ７１に対して回転が抑制された状態となる。アーム部材６０を、屈曲部６３が支持パイプ７１の上端部に達する位置まで挿入すると、屈曲部６３は、支持パイプ７１の上端部を押し広げる。これにより、アーム部材６０の第２端部６２と支持パイプ７１との間の生じる抵抗が大きくなるため、アーム部材６０は、回転が抑制された状態となる。
【００４１】
従って、施術者は、アーム部材６０を支持パイプ７１に挿入する深さを調整することにより、アーム部材６０を回転が可能な状態、又は回転が抑制された状態のいずれかに切り替えることができる。即ち、施術者は、アーム部材６０を支持パイプ７１に浅く挿入すれば、アーム部材６０を所望の位置まで容易に回転させることができる。また、施術者は、アーム部材６０を支持パイプ７１に深く挿入すれば、施術中にアーム部材６０が動かないように簡単に固定することができる。
【００４２】
上述した支持パイプ７１と支持パイプ７２の構成は、基本的に同じである。支持パイプ７２は、パイプ材の外径がアーム部材６０よりも大きいアーム部材９０を支持する点が異なる。そのため、施術者は、アーム部材９０を台座７０の支持パイプ７３に挿入する深さを調整することにより、棒状部材８０が取り付けられたアーム部材９０を、回転が可能な状態、又は回転が抑制された状態のいずれかに切り替えることができる。
【００４３】
また、台座７０は、底部に粘着シート７４（粘着部材）を有する。粘着シート７４は、作業台の設置面に貼り付けたり、引き剥がしたりすることが可能な部材である。粘着シート７４は、シリコン系、アクリル系、ゴム系等のシート材料により形成することができる。粘着シート７４の第１面（台座７０側）は、台座７０の底部から剥がれないように接着されている。また、粘着シート７４において、第１面とは反対側の第２面は、シート材料が露出している。
【００４４】
施術者は、台座７０の底部（粘着シート７４の第２面）を作業台の設置面に押し付けることにより、台座７０を作業台の設置面に貼り付けることができる。そのため、施術者は、作業台上の使いやすい位置に保持具１０Ａを設置することができる。また、作業台上に設置された台座７０は、粘着シート７４の粘着力により、作業台に簡易的に固定された状態となる。そのため、施術者が、棒状部材から増毛用部材２０を取り外した際に、台座７０がずれてしまうことがない。また、施術者は、台座７０を作業台から引き剥がすことにより、台座７０を別の場所に設置することできる。従って、施術者は、保持具１０Ａを作業台に設置したり、保持具１０Ａを作業台から取り外したりする作業を容易に行うことができる。
【００４５】
第２実施形態の保持具１０Ａは、アーム部材に取り付けられた棒状部材が保持具１０Ａの設置面と略水平となるようにアーム部材を支持する台座７０を有する。そのため、施術者は、棒状部材に挿入された増毛用材料２０を、保持具１０Ａの設置面に略水平方向に配置された棒状部材に沿って移動させるだけで、棒状部材から取り外すことができる。これによれば、施術者は、増毛用材料２０を棒状部材から速やかに取り出せるため、施術時の作業効率が向上する。
【００４６】
なお、施術者により棒状部材の一端側から増毛用材料２０が取り出され、増毛用材料２０の数が少なくなってくると、棒状部材の他端側に保持された増毛用材料２０を取り出しにくくなる。増毛用材料２０を棒状部材の長手方向に沿って移動させる距離が長くなるからである。棒状部材２０に保持されている増毛用材料２０の数が半分程度に減った場合に、棒状部材１３の他端側をアーム部材から取り外し、反対側の一端側をアーム部材に取り付ければよい。これにより、増毛用材料２０を棒状部材の長手方向に沿って移動させる距離が短くなるため、増毛用材料２０を棒状部材から速やかに取り出せる。
【００４７】
第２実施形態の保持具１０Ａにおいて、台座７０は、アーム部材を棒状部材の長手方向と略直交する軸回りに回転が可能な状態又は回転が抑制された状態のいずれかに支持する支持パイプを有する。そのため、施術者は、アーム部材を所望の位置まで容易に回転させることができる。また、施術者は、施術中にアーム部材が動かないように簡単に固定することができる。
【００４８】
第２実施形態の保持具１０Ａにおいて、台座７０は、作業台の設置面に対して着脱自在な粘着シート７４を有する。そのため、施術者は、作業台上の使いやすい位置に保持具１０Ａを設置することができる。また、施術者が、棒状部材から増毛用部材２０を取り外した際に、台座７０がずれてしまうことがない。また、施術者は、台座７０を作業台から引き剥がすことにより、台座７０を別の場所に設置することできる。従って、施術者は、保持具１０Ａを作業台に設置したり、保持具１０Ａを作業台から取り外したりする作業を容易に行うことができる。
【００４９】
（変形形態）
以上説明した実施形態に限定されることはない。あくまでも好ましい一の実施の形態であり本発明の効果を奏する範囲内では、種々の変形、変更が可能である。
（１）棒状部材１３は、コスト面、製作面、生産効率、及び、作業効率の面で、円柱形状の丸棒で説明したが、四角柱形状であっても良い。
（２）棒状部材１３は、木材で説明したが、これに限定されない。
（３）カバー部材１６は、和紙で説明したが、樹脂であっても良い。カバー部材１６を色分けすることにより、利便性、作業効率が上がるのであれば、適宜、変形することが可能なのは言うまでもない。
（４）基材シート１１は、２つ折りで説明したが４つに折りにたたむことも可能である。
（５）基材シート１１の素材は、紙類、樹脂製の他、プラスチックや金属等であっても構わない。
（６）保持部材１４は、増毛用材料を保持する棒状部材１３を固定するためのものであり、片面テープでなくても本発明の目的を達成し、効果を奏するのならば、これに限定されない。棒状部材１３は、鉤状の部材で固定することも可能である。
（７）カバー部材１６は、和紙であることが好ましいが、これに限定されない。
（８）棒状部材１３の溝１７は、ピンセット４１がギリギリ入る程度の大きさとしたが、作業効率が向上できる範囲内であれば、この大きさに限定されない。
（９）第２実施形態において、アーム部材の構造は、第２実施形態の例に限定されない。棒状部材を適切に支持することができれば、アーム部材は、どのような構造であってもよい。例えば、アーム部材をパイプ材で形成し、支持パイプを円柱形上の丸棒で形成してもよい。
（１０）第２実施形態の台座７０は、単一の材料で形成されていてもよいし、複数の材料を積層した構造であってもよい。また、台座７０は、中空構造であってもよい。
（１１）第２実施形態において、台座７０を直方体とした場合、施術者が持ちやすくなるという利点がある。しかし、台座７０の形状は、アーム部材を適切に支持することができれば、第２実施形態の例に限らない。例えば、台座７０を板状とし、その上に縦長の支持パイプを設けた構成としてもよい。
（１２）第２実施形態では、台座７０と支持パイプとを別体の部品としているが、これに限らず、台座７０と支持パイプとを一体構造としてもよい。また、台座７０において、支持パイプは、１つでもよいし、３つ以上を設けてもよい。
【符号の説明】
【００５０】
１１：基材シート
１２：カバーシート
１３、５０、８０：棒状部材
１４：保持部材
１５、１５Ａ：保持部材
１６、１６Ａ：カバー部材
１７：溝
２０：増毛用材料
２１：ループ部
６０、９０：アーム部材
７０：台座
７２、７３：支持パイプ
７４：粘着シート
【図１】
2015041356.tif 000003
【図２】
2015041356.tif 000004
【図３】
2015041356.tif 000005
【図４】
2015041356.tif 000006
【図５】
2015041356.tif 000007
【図６】
2015041356.tif 000008
【図７】
2015041356.tif 000009
【図８】
2015041356.tif 000010
【図９】
2015041356.tif 000011
【国際調査報告】
2015041356.tif 000012
2015041356.tif 000013
2015041356.tif 000014
2015041356.tif 000015